(57)【要約】【課題】被運搬者を敷布の上に載せたまま運搬する作業の繰り返し使用にも十分に耐え得る強度と耐久性を持たせることができ、運搬時の使い勝手を向上させることができる介護用敷布を提供すること。【解決手段】略矩形形状をした敷布１０と、敷布１０の一方の面に、敷布１０の長手方向に対して略垂直に所定間隔を設けて縫着された複数の帯状部材２０ａ〜２０ｄとを備え、これら複数の帯状部材２０ａ〜２０ｄの両端部に把持部２１が形成されている。【選択図】図１
0003121217.tif 000002
【実用新案登録請求の範囲】
【請求項１】
略矩形形状をした敷布と、
該敷布の一方の面に、該敷布の長手方向に対して略垂直に所定間隔を設けて縫着された複数の帯状部材とを備え、
これら複数の帯状部材の両端部に把持部が形成されていることを特徴とする介護用敷布。
【請求項２】
略矩形形状をした敷布と、                                                        該敷布の一方の面に、該敷布の長手方向に対して所定幅に形成されて縫着された縫着部材と、
該縫着部材の長手方向両側に所定間隔を設けて形成された把持部とを備えていることを特徴とする介護用敷布。
【請求項３】
前記敷布の一方の面に、該敷布の短手方向に対して略垂直に所定間隔を設けて縫着された一対の帯状部材と、
これら一対の帯状部材の両端部が延設されて形成された肩掛部とを備えていることを特徴とする請求項１又は請求項２記載の介護用敷布。
【請求項４】
略矩形形状をした敷布と、                                                        該敷布の一方の面に、該敷布の短手方向に対して略垂直に所定間隔を設けて縫着された一対の帯状部材と、
これら一対の帯状部材の両端部が延設されて形成された肩掛部とを備えていることを特徴とする介護用敷布。
【請求項５】
略矩形形状をした敷布と、
該敷布の一方の面に、該敷布の長手方向に対して所定幅に形成されて縫着された縫着部材と、
該縫着部材の短手方向両側から一対の帯状部材が延設されて形成された肩掛部とを備えていることを特徴とする介護用敷布。
【請求項６】
前記肩掛部が、これら一対の帯状部材の隣り合う両端部同士が着脱部材を介して連結可能に形成されていることを特徴とする請求項３〜５のいずれかの項に記載の介護用敷布。
【請求項７】
前記敷布の一方の面の少なくとも４箇所に、一端側に把持部が形成された帯状部材が縫着されていることを特徴とする請求項４〜６のいずれかの項に記載の介護用敷布。
【請求項８】
前記敷布の一方の面に、該敷布の長手方向に対して略垂直に所定間隔を設けて縫着された複数の締着部材を備えていることを特徴とする請求項１〜７のいずれかの項に記載の介護用敷布。
【請求項９】
前記敷布の他方の面に、該敷布の短手方向に対して略垂直に所定間隔を設けて形成された少なくとも一対の棒を通すための挿通孔を備えていることを特徴とする請求項１〜８のいずれかの項に記載の介護用敷布。
【請求項１０】
略矩形形状をした敷布と、
該敷布の一方の面における一対の向かい合う辺の両縁部に縫着された一対の帯状部材とを備え、
これら帯状部材の両端部が連結されて肩掛部が形成されるように構成されていることを特徴とする介護用敷布。
【請求項１１】
前記肩掛部が、これら帯状部材の両端部に装着された着脱部材を介して連結可能に構成されていることを特徴とする請求項１０記載の介護用敷布。
【請求項１２】
略矩形形状をした敷布と、
該敷布の一方の面における一対の向かい合う辺の両縁部に縫着された一対の帯状部材と、
これら帯状部材の両端部に着脱部材を介して連結された肩掛部材とを備えていることを特徴とする介護用敷布。
【請求項１３】
両端部に把持部が形成された帯状部材が、前記敷布の少なくとも一辺に縫着されていることを特徴とする請求項１０〜１２のいずれかの項に記載の介護用敷布。
【請求項１４】
請求項１〜１３のいずれかの項に記載の介護用敷布と、
該介護用敷布を構成する前記敷布の他方の面に着脱可能な取替用敷布とを備えていることを特徴とする介護用敷布セット。
【請求項１５】
前記介護用敷布と前記取替用敷布との間に配設される板状部材を備えていることを特徴とする請求項１４記載の介護用敷布セット。
【請求項１６】
前記介護用敷布を構成する前記敷布の一方の面に着脱可能なエアマット部材を備えていることを特徴とする請求項１４又は請求項１５記載の介護用敷布セット。
【考案の詳細な説明】
【技術分野】
【０００１】
本考案は介護用敷布、及び介護用敷布セットに関し、より詳細には、平常時は、マットレスや敷布団等の寝具上面に敷いて利用することができ、移動時には患者や被介護者を敷布の上に載せたまま運搬することのできる介護用敷布、及び介護用敷布セットに関する。
【背景技術】
【０００２】
従来から、身体が不自由な患者や被介護者等の被運搬者を敷布の上に載せたまま運搬する目的で、敷布の周縁部に複数の把持用孔が設けられたキャリングシーツが提案されている（例えば、下記の特許文献１参照）。
【０００３】
しかしながら、従来のキャリングシーツでは、前記把持用孔が、敷布に切り込みを入れて形成されたものとなっているので、被運搬者の体重が重い場合や急に持ち上げた場合には、把持用孔部分に直接大きな力が加わるため、把持用孔部分から敷布が裂けてしまうことがあり、また、繰り返し使用した場合の耐久性も低く、そのため、把持用孔部分の布地を厚くしたりする工夫が行われていた。
【０００４】
また、下記の特許文献２には、図１９（ａ）、（ｂ）に示した介護用敷布７０が開示されており、介護用敷布７０は、敷布７１の４辺の端が裏側に折り重ねられ、２条のミシン目７３で縫い合わされて、敷布７１の長手方向両縁部に、棒８０を通す隙間７２が形成されており、さらに、２条のミシン目７３とミシン目７４との間に、握り部となる切れ目７５が複数箇所設けられた構成となっている。
【０００５】
しかしながら、特許文献２記載の介護用敷布７０も、特許文献１記載のキャリングシーツと同様、敷布７１に形成された切れ目７５（把持用孔）を握って持ち上げる構成となっている。介護用敷布７０では、切れ目７５部分に強度を持たせるために、切れ目７５の周囲に補強縫いとかがり縫いとが施されているが、それでも運搬時には、切れ目７５に直接大きな力が加わるため、繰り返し使用により切れ目７５部分の劣化が進むこととなり、長期の繰り返し使用に耐え得る十分な耐久性を敷布７１に持たせることは難しいという問題があった。
【０００６】
また、特許文献２記載の介護用敷布７０では、図１９（ｂ）に示したように、左右の隙間７２に棒８０をそれぞれ通して担架として用いることができるように構成されているが、棒８０を通す隙間７２が、敷布７１の長手方向両縁部に形成されているため、担架として用いた場合には、人体の重みにより棒８０が内側に寄ってしまい、敷布７１で患者を圧迫してしまうという問題があり、この中寄りを防止するために、介護用敷布７０では、棒８０の間に長さ調整可能な補助棒（図示せず）を装着する構成となっており、余分な道具が必要であった。
【特許文献１】特開２００２−５８７０５号公報
【特許文献２】特開平１０−３２８２５０号公報
【考案の開示】
【課題を解決するための手段及びその効果】
【０００７】
本考案は上記課題に鑑みなされたものであって、患者や被介護者を敷布の上に載せたまま運搬する作業の繰り返し使用にも十分に耐え得る強度と耐久性を持たせることができ、運搬時の使い勝手を向上させることができ、また、棒を用いる担架として使用した場合には、棒の中寄りを防止する補助具を使用しなくても、患者に圧迫感を与えることなく、適切な運搬を行うことができる介護用敷布、及び介護用敷布セットを提供することを目的としている。
【０００８】
すなわち本考案に係る介護用敷布（１）は、略矩形形状をした敷布と、該敷布の一方の面に、該敷布の長手方向に対して略垂直に所定間隔を設けて縫着された複数の帯状部材とを備え、これら複数の帯状部材の両端部に把持部が形成されていることを特徴としている。
【０００９】
上記介護用敷布（１）によれば、前記敷布の一方の面に、その両端部に把持部が形成された複数の帯状部材が、前記敷布の長手方向に対して略垂直に所定間隔を設けて縫着されているので、数人の介護者で、前記複数の帯状部材の各把持部を握って持ち上げることにより、前記敷布の上に患者等の被運搬者を載せたまま運搬することができ、介護や避難時等において担架として使用することができる。この場合、従来のように敷布（に設けた把持用孔）を直接握って持ち上げる必要がないため、体重が重い人を運ぶ場合でも、また急に持ち上げた場合でも、前記敷布に直接大きな力が加わることがなく、長期の繰り返し使用にも十分に耐え得る強度と耐久性を持たせることができ、しかも安価に作製することができる。また、前記複数の帯状部材によって、前記敷布に載せた人の体重が支持される構成となっているので、被運搬者を敷布ごと持ち上げたり、担ぐ際の力が加え易く、また、前記敷布上の被運搬者の姿勢をバランス良く安定した状態に保つことができ、介護者等の運搬者の作業負担を軽減させることができる。
【００１０】
また本考案に係る介護用敷布（２）は、略矩形形状をした敷布と、該敷布の一方の面に、該敷布の長手方向に対して所定幅に形成されて縫着された縫着部材と、該縫着部材の長手方向両側に所定間隔を設けて形成された把持部とを備えていることを特徴としている。
【００１１】
上記介護用敷布（２）によれば、前記敷布の一方の面に、該敷布の長手方向に対して所定幅（人体の横幅を考慮したサイズ）に形成されて縫着された縫着部材と、該縫着部材の長手方向両側に所定間隔を設けて形成された把持部とを備えているので、数人の介護者で、前記縫着部材の各把持部を握って持ち上げることにより、前記敷布の上に被運搬者を載せたまま運搬することができる。この場合、従来のように敷布（に設けた把持用孔）を直接握って持ち上げる必要がないため、体重が重い人を運ぶ場合でも、また急に持ち上げた場合でも、前記敷布に直接大きな力が加わることがなく、長期の繰り返し使用にも十分に耐え得る強度と耐久性を持たせることができ、しかも安価に作製することができる。また、前記縫着部材が、前記敷布の長手方向に対して所定幅をもって形成されているので、人体を支持する面が広く、前記敷布ごと被運搬者を持ち上げて移動する場合であっても、前記敷布に載せられた被運搬者の腰部分等の局部的な沈みを抑えることができ、移動時の被運搬者の姿勢をバランス良く保つことができ、また、前記敷布の強度を高めることができる。
【００１２】
また本考案に係る介護用敷布（３）は、上記介護用敷布（１）又は（２）において、前記敷布の一方の面に、該敷布の短手方向に対して略垂直に所定間隔を設けて縫着された一対の帯状部材と、これら一対の帯状部材の両端部が延設されて形成された肩掛部とを備えていることを特徴としている。
【００１３】
上記介護用敷布（３）によれば、前記敷布の一方の面に、該敷布の短手方向に対して略垂直に所定間隔を設けて縫着された一対の帯状部材と、これら一対の帯状部材の両端部が延設されて形成された肩掛部とを備えているので、二人の介護者で、前記肩掛部を肩に掛けて担ぐことにより、前記敷布の上に被運搬者を載せたまま運搬することができる。この場合、従来のように敷布（に設けた把持用孔）を直接握って持ち上げる必要がないため、体重が重い人を運ぶ場合でも、また急に持ち上げた場合でも、前記敷布に直接大きな力が加わることがなく、長期の繰り返し使用にも十分に耐え得る強度と耐久性を持たせることができ、しかも安価に作製することができる。また、前記肩掛部により、被運搬者を敷布ごと持ち上げたり、担ぐ際の力が一層加え易く、介護者等の運搬者の作業負担をさらに軽減させることができる。
【００１４】
また本考案に係る介護用敷布（４）は、略矩形形状をした敷布と、該敷布の一方の面に、該敷布の短手方向に対して略垂直に所定間隔を設けて縫着された一対の帯状部材と、これら一対の帯状部材の両端部が延設されて形成された肩掛部とを備えていることを特徴としている。
【００１５】
上記介護用敷布（４）によれば、前記敷布の一方の面に、該敷布の短手方向に対して略垂直に所定間隔を設けて縫着された一対の帯状部材と、これら一対の帯状部材の両端部が延設されて形成された肩掛部とを備えているので、二人の介護者で、前記肩掛部を肩に掛けて担ぐことにより、前記敷布の上に被運搬者を載せたまま運搬することができる。この場合、従来のように敷布（に設けた把持用孔）を直接握って持ち上げる必要がないため、体重が重い人を運ぶ場合でも、また急に持ち上げた場合でも、前記敷布に直接大きな力が加わることがなく、長期の繰り返し使用にも十分に耐え得る強度と耐久性を持たせることができる。また、前記肩掛部により、被運搬者を敷布ごと持ち上げたり、担ぐ際の力が一層加え易く、介護者等の運搬者の作業負担をさらに軽減させることができる。
【００１６】
また本考案に係る介護用敷布（５）は、略矩形形状をした敷布と、該敷布の一方の面に、該敷布の長手方向に対して所定幅に形成されて縫着された縫着部材と、該縫着部材の短手方向両側から一対の帯状部材が延設されて形成された肩掛部とを備えていることを特徴としている。
【００１７】
上記介護用敷布（５）によれば、前記敷布の一方の面に、該敷布の長手方向に対して所定幅（人体の横幅を考慮したサイズ）に形成されて縫着された縫着部材と、該縫着部材の短手方向両側から一対の帯状部材が延設されて形成された肩掛部とを備えているので、二人の介護者で、前記肩掛部を肩に掛けて担ぐことにより、前記敷布の上に被運搬者を載せたまま運搬することができる。この場合、従来のように敷布（に設けた把持用孔）を直接握って持ち上げる必要がないため、体重が重い人を運ぶ場合でも、また急に持ち上げた場合でも、前記敷布に直接大きな力が加わることがなく、長期の繰り返し使用にも十分に耐え得る強度と耐久性を持たせることができ、しかも安価に作製することができる。また、前記縫着部材が、前記敷布の長手方向に対して所定幅をもって形成されているので、人体を支持する面が広く、前記敷布ごと被運搬者を持ち上げて移動する場合であっても、前記敷布に載せられた被運搬者の腰部分等の局部的な沈みを抑えることができ、移動時の被運搬者の姿勢をバランス良く保つことができ、また、前記敷布の強度を高めることができる。
【００１８】
また本考案に係る介護用敷布（６）は、上記介護用敷布（３）〜（５）のいずれかにおいて、前記肩掛部が、これら一対の帯状部材の隣り合う両端部同士が着脱部材を介して連結可能に形成されていることを特徴としている。
【００１９】
上記介護用敷布（６）によれば、前記肩掛部が、これら一対の帯状部材の隣り合う両端部同士が着脱部材を介して連結可能に形成されているので、前記肩掛部を肩に掛ける動作（たすき掛け）を楽に行うことができる。また、前記着脱部材に前記帯状部材の長さ調整機能を持たせることにより、運搬者の体格に合わせた、肩に掛けやすい長さに調整することが可能となる。
【００２０】
また本考案に係る介護用敷布（７）は、上記介護用敷布（４）〜（６）のいずれかにおいて、前記敷布の一方の面の少なくとも４箇所に、一端側に把持部が形成された帯状部材が縫着されていることを特徴としている。
【００２１】
上記介護用敷布（７）によれば、前記敷布の一方の面の少なくとも４箇所に、一端側に把持部が形成された帯状部材が縫着されているので、運搬者が、前記帯状部材に形成された前記把持部を直接手で握って、又は前記帯状部材を手首に巻き付けて握って持ち上げることにより被運搬者をより安定した状態で支えることができる。
【００２２】
また本考案に係る介護用敷布（８）は、上記介護用敷布（１）〜（７）のいずれかにおいて、前記敷布の一方の面に、該敷布の長手方向に対して略垂直に所定間隔を設けて縫着された複数の締着部材を備えていることを特徴としている。
【００２３】
上記介護用敷布（８）によれば、前記敷布の一方の面に、該敷布の長手方向に対して略垂直に所定間隔を設けて縫着された複数の締着部材を備えているので、これら締着部材で被運搬者の胴体部分等を締め付けて前記敷布に固定しておくことができ、移動時における被運搬者の前記敷布からの落下や位置ずれを防止することができる。
【００２４】
また本考案に係る介護用敷布（９）は、上記介護用敷布（１）〜（８）のいずれかにおいて、前記敷布の他方の面に、該敷布の短手方向に対して略垂直に所定間隔を設けて形成された少なくとも一対の棒を通すための挿通孔を備えていることを特徴としている。
【００２５】
上記介護用敷布（９）によれば、前記敷布の他方の面に、該敷布の短手方向に対して略垂直に所定間隔を設けて形成された少なくとも一対の棒を通すための挿通孔を備えているので、これら挿通孔に、運搬用の棒を通すことにより、前記敷布の上に被運搬者を載せたまま担架として使用することができる。なお、これら挿通孔の間隔は、人体の幅程度に設定するのが好ましい。また、体型によって適切な位置が変わるため、挿入する棒の位置を患者や被介護者の体型に合わせることができるように、前記挿通孔を２対以上形成するようにしても良い。かかる構成とすることにより、棒を用いて担架として使用した場合に、運搬用の棒が、内側に寄ることがなく、すなわち、前記敷布で被運搬者を圧迫するようなことがなく、患者の両側部を運搬用の棒で適度にホールドすることができ、運搬時の安定性を高めることができる。また、前記挿通孔は、前記敷布の一部が筒状に折り重ねられて一端側が縫着されて形成されたものとすることができる。
【００２６】
また本考案に係る介護用敷布（１０）は、  略矩形形状をした敷布と、該敷布の一方の面における一対の向かい合う辺の両縁部に縫着された一対の帯状部材とを備え、これら帯状部材の両端部が連結されて肩掛部が形成されるように構成されていることを特徴としている。
【００２７】
上記介護用敷布（１０）によれば、略矩形形状をした敷布と、該敷布の一方の面における一対の向かい合う辺の両縁部に縫着された一対の帯状部材とを備え、これら帯状部材の両端部が連結されて肩掛部が形成されるように構成されているので、二人の介護者が前記肩掛部をそれぞれ肩に掛けて担ぐことにより、前記敷布の上に被運搬者を載せた状態で運搬することができる。この場合、従来のように敷布（に設けた把持用孔）を直接握って持ち上げる必要がないため、体重が重い人を運ぶ場合でも、また急に持ち上げた場合でも、前記敷布に直接大きな力が加わることがなく、長期の繰り返し使用にも十分に耐え得る強度と耐久性を持たせることができ、しかも安価に作製することができる。特に、前記敷布のサイズを、前記帯状部材が縫着された辺の長さ（縦幅）を人体の太腿の裏側から肩甲骨ぐらいまでの長さ（７０〜１００ｃｍ前後）に設定し、他の辺の長さ（横幅）を人体の横幅を考慮した長さ（６０〜９０ｃｍ前後）に設定することにより、被運搬者を適切な位置に着座させて、前記敷布の両側から前記肩掛部を肩に掛けて担ぐことにより、被運搬者を椅子に腰掛けた姿勢に近い状態で運搬することができ、ベッドから車椅子、車椅子からベッドへの乗せ替え等を比較的楽に行うことが可能となり、介護に必要な労力を軽減させることができる。
【００２８】
また本考案に係る介護用敷布（１１）は、上記介護用敷布（１０）において、前記肩掛部が、各帯状部材の両端部に装着された着脱部材を介して連結可能に構成されていることを特徴としている。
【００２９】
上記介護用敷布（１１）によれば、前記肩掛部が、各帯状部材の両端部に装着された着脱部材を介して連結可能に構成されているので、前記肩掛部を肩に掛ける動作（たすき掛け）を楽に行うことができる。また、前記着脱部材に前記帯状部材の長さ調整機能を持たせることにより、運搬者の体格に合わせた、肩に掛けやすい長さに適宜調整することが可能となり、使い勝手を良くすることができる。
【００３０】
また本考案に係る介護用敷布（１２）は、略矩形形状をした敷布と、該敷布の一方の面における一対の向かい合う辺の両縁部に縫着された一対の帯状部材と、これら帯状部材の両端部に着脱部材を介して連結された肩掛部材とを備えていることを特徴としている。
【００３１】
上記介護用敷布（１２）によれば、上記した介護用敷布（１０）、（１１）と略同様な効果を得ることができるとともに、さらに前記肩掛部材が、これら帯状部材の両端部に着脱部材を介して連結されるように構成されているので、敷布団等の上に敷いている時や車椅子等に乗せて利用している時は前記肩掛部材を前記敷布から外して利用することができ、敷布団等の周囲をスッキリさせることができ、また車椅子での移動時に邪魔にならないようにすることができる。また、前記肩掛部材を外した状態で、前記敷布のみ洗濯を行うことができ、使い勝手を良くすることができる。
【００３２】
また本考案に係る介護用敷布（１３）は、上記介護用敷布（１０）〜（１２）にいずれかにおいて、両端部に把持部が形成された帯状部材が、前記敷布の少なくとも一辺に縫着されていることを特徴としている。
【００３３】
上記介護用敷布（１３）によれば、両端部に把持部が形成された帯状部材が、前記敷布の少なくとも一辺に縫着されているので、運搬者が、前記帯状部材に形成された前記把持部を直接手で握って、又は前記帯状部材を手首に巻き付けて握って持ち上げることにより被運搬者をより安定した状態で支えることができる。特に、被介護者の太腿の裏側にあたる部分の敷布の一辺に設けることにより、上記した効果を高めることができる。
【００３４】
また本考案に係る介護用敷布セット（１）は、上記介護用敷布（１）〜（１３）のいずれかと、該介護用敷布を構成する前記敷布の他方の面に着脱可能な取替用敷布とを備えていることを特徴としている。
【００３５】
上記介護用敷布セット（１）によれば、前記敷布の他方の面に着脱可能な取替用敷布を備えているので、平常時は、前記介護用敷布と前記取替用敷布の２枚重ねで使用することができる。すなわち、前記帯状部材などが縫着されている前記介護用敷布を下側に敷き、その上に前記取替用敷布を装着（例えば、面ファスナー、釦、ホック等の係止部材を利用して装着）して使用することができ、敷布としての使用感を高めることができるとともに、前記取替用敷布のみを取り替えて洗濯することができ、利便性を高めることができる。
【００３６】
また本考案に係る介護用敷布セット（２）は、上記介護用敷布セット（１）において、前記介護用敷布と前記取替用敷布との間に配設される板状部材を備えていることを特徴としている。
【００３７】
上記介護用敷布セット（２）によれば、前記介護用敷布と前記取替用敷布との間に配設される板状部材を備えているので、前記介護用敷布と前記取替用敷布との間に前記板状部材を挟んだ状態で使用することにより、敷布ごと被運搬者を持ち上げて移動する場合に、前記取替用敷布に載せられた被運搬者の腰部分等の局部的な沈みを抑える効果をさらに高めることができ、移動時の被運搬者の姿勢を一層バランス良く保つことができる。
【００３８】
前記板状部材としては、例えば、グラスファイバー部材や段ボール部材等を数ｍｍ〜２ｃｍ程度の厚さに加工したものや、さらにこれらの表面にウレタン部材等を張り合せてクッション性を持たせたマットなど、前記敷布を持ち上げた際に被運搬者の腰部分等の沈みを抑えることが可能な部材が採用され得る。
【００３９】
また本考案に係る介護用敷布セット（３）は、上記介護用敷布セット（１）又は（２）において、前記介護用敷布を構成する前記敷布の一方の面に着脱可能なエアマット部材を備えていることを特徴としている。
【００４０】
上記介護用敷布セット（３）によれば、前記介護用敷布を構成する前記敷布の一方の面に着脱可能なエアマット部材を備えているので、例えば、前記エアマット部材が人体の上半身部に相当する位置に装着されている場合には、自力で起き上がることができない被介護者を寝ている状態から起こす際に、前記エアマット部材に空気を充填することにより、被介護者の上半身部を前記エアマット部材により持ち上げることができ、介護者の負担を軽減させることができる。また、前記エアマット部材が人体の腰部や脚部の位置に装着されている場合には、自力で起き上がることができない被介護者の下着等を取り替える際に、前記エアマット部材に空気を充填することにより、被介護者の腰部や脚部を前記エアマット部材により持ち上げた状態にすることができ、介護者による下着等の取り替え作業をスムーズに行わせることができる。前記エアマット部材は、上記のように人体の各部（上半身、腰、脚等）の位置に合うように複数のエア注入領域に分けられたもの、すなわち複数のエア注入領域が連結された一枚のエアマットシートが好ましいが、複数個のエアマットを着脱する形態とすることもできる。
【考案を実施するための最良の形態】
【００４１】
以下、本考案に係る介護用敷布、及び介護用敷布セットの実施の形態を図面に基づいて説明する。図１は、実施の形態（１）に係る介護用敷布を模式的に示した図であり、（ａ）は平面図、（ｂ）は底面図、（ｃ）は（ａ）におけるＣ−Ｃ線断面図である。
【００４２】
図中１０は、略矩形形状をした敷布であり、敷布１０を構成する布地には、パイル生地、キルティング生地、毛布生地、綿シーツなど、敷布として一般的に使用される様々な布地が採用され得る。また、敷布１０の長手方向両縁部から中央部までの間に、運搬用の棒（図示せず）を通すための１対の挿通孔１１ａ、１１ｂが、人体の横幅程度の間隔（約５０〜７０ｃｍ程度の幅）を設けて形成されている。なお挿通孔１１ａ、１１ｂは、敷布１０を筒状に折り重ねて一端側を縫着して形成されたものであり、人体の重さに絶え得るように補強縫い等が適宜施されている。
【００４３】
また、図１（ｂ）に示したように、挿通孔１１ａ、１１ｂが形成された面（敷布１０の表面）とは反対側の面（敷布１０の裏面）に、両端部に把持部２１が形成された４本の帯状部材２０ａ〜２０ｄが、敷布１０の長手方向に対して略垂直に所定間隔を設けて縫着されている。すなわち、これら帯状部材２０ａ〜２０ｄの各把持部２１が敷布１０の長手方向両側に配置され、各帯状部材２０ａ〜２０ｄの敷布１０との縫着部２２が、挿通孔１１ａ、１１ｂに対して略垂直に一定間隔を設けて並列に配置されて縫着されている。
【００４４】
なお、図１（ｂ）、（ｃ）に示したように、各帯状部材２０ａ〜２０ｄの縫着部２２の長さは、挿通孔１１ａ、１１ｂの間隔と同程度に設定するのが好ましい。また、各帯状部材２０ａ〜２０ｄは、身体の不自由な患者や被介護者等の被運搬者の重さを支えることができる強度を備えたものであればよく、天然繊維や合成繊維で縫製された部材（アクリルベルト等）で構成されている。また、各帯状部材２０ａ〜２０ｄの両端部を折り重ねて形成された把持部２１の長さは、任意に設定することができるが、運搬時の使い勝手等を考慮して、敷布１０の横幅からはみ出ない程度に設定するのが好ましい。なお、把持部２１は、手で持ち上げやすいように輪状に形成されているが、運搬者の手で握ることができる形状（例えば、帯片等）であればよい。
【００４５】
このように構成された介護用敷布１は、平常時には、マットレスや敷布団の上に敷いて通常の敷布と同様に利用することができるようになっている。そして、自力で寝起きすることができない患者や被介護者を移動させる場合、例えば、病院や自宅等で患者をベッドから他の場所に移動させる場合や災害時等にけが人などを運ぶ場合、図２に示したように、敷布１０の挿通孔１１ａ、１１ｂに運搬用の棒３０を挿入して、患者Ｍを敷布１０の上に載せたまま、敷布１０を担架として使用することができるようになっている。
【００４６】
なお、挿通孔１１ａ、１１ｂの間隔が、人体の平均的な幅を考慮して設定されているので、患者Ｍを持ち上げた際に、運搬用の棒３０が中に寄って（すなわち、棒３０が患者Ｍの上まできて）、敷布１０で患者Ｍを圧迫するようなことがなく、患者Ｍの両側部を運搬用の棒３０で適度にホールドすることができ、運搬時の安定性を高めることが可能となっている。なお、運搬用の棒３０は、運搬者の体重を支えることができる強度を有していれば良く、配置スペースや使い勝手等を考慮すると、伸縮可能な棒を利用するのが好ましい。
【００４７】
また、運搬用の棒３０が用意できない場合には、図３に示したように、患者Ｍを敷布１０の上に載せたまま、例えば、左右２人づつの計４人で、各帯状部材２０ａ〜２０ｄの把持部２１を握って、敷布１０ごと患者Ｍを持ち上げて移動することもできるようになっている。なお、帯状部材２０ａ〜２０ｄの敷布１０との縫着部２２の長さが、挿通孔１１ａ、１１ｂの間隔と同程度に設定されているので、把持部２１を握って持ち上げた際に、患者Ｍの両側部を適度にホールドすることができ、棒３０を使用した時と同様に、運搬時の安定性を高めることが可能となっている。また、把持部２１は、患者Ｍを移動させる場合の他、自力で寝起きができない患者を寝床から起こす場合にも利用することができる。
【００４８】
また、自力で起き上がることはできるが、立つことができない患者を、例えば、車椅子等に乗せる場合は、図４（ａ）、（ｂ）に示したように、ベッドの横（長辺方向の側部）に腰掛けた患者Ｍを、左右の２人で、太腿の側方付近に位置する帯状部材２０ｂ、２０ｃの把持部２１と、これら帯状部材２０ｂ、２０ｃの他方の把持部２１とを握って、敷布１０ごと腰掛けた状態の患者Ｍを持ち上げて、その状態のまま車椅子等に乗せることもできる。患者Ｍを持ち上げた際には、帯状部材２０ｂ、２０ｃの縫着部２２により患者Ｍの側方部分がサポートされるので、患者Ｍの姿勢を安定した状態に保つことが可能となっている。
【００４９】
また、車椅子等からベッドに移る際も同様の手順で、敷布１０ごと患者Ｍを持ち上げてベッドに腰掛けた状態に戻すことが可能である。なお、図４（ａ）は、ベッドを上から見た平面図であり、図４（ｂ）は（ａ）におけるＢ−Ｂ線断面図である。
【００５０】
また、車椅子等に乗せる場合においては、敷布１０の長さが余るので、敷布１０の一部分を折り畳んだ状態で利用できるように、敷布１０の四隅と、長手方向両縁部の数か所とに、ボタン、フック、又は面ファスナー等の止め具を設けるようにして、適切な長さに折り畳めるようにしてもよい。また、これらの止め具を、帯状部材２０ａ〜２０ｄに設ける構成としてもよい。
【００５１】
また、図４（ａ）、（ｂ）では、患者Ｍが、ベッドの横（長辺側）に腰掛けた場合について説明したが、図５に示したように、患者Ｍが、ベッドの足下側（短辺側）に腰掛けた場合にも対応することができ、この場合、左右の二人で、太腿の側方付近に位置する帯状部材２０ｄの把持部２１と、帯状部材２０ｂ又は２０ｃの把持部２１とを握って、敷布１０ごと腰掛けた状態の患者Ｍを持ち上げて、その状態のまま車椅子等に乗せるようにすればよい。
【００５２】
上記実施の形態（１）に係る介護用敷布１によれば、敷布１０の表面に、敷布１０の短手方向に対して略垂直に所定間隔を設けて形成された一対の棒３０を通すための挿通孔１１ａ、１１ｂを備えているので、これら挿通孔１１ａ、１１ｂに、棒３０を通すことにより、敷布１０の上に被運搬者を載せたまま担架として使用することができる。なお、これら挿通孔１１ａ、１１ｂの間隔が、人体の幅を考慮して設定されているので、棒３０を用いて担架として使用した場合に、運搬用の棒３０が、内側に寄ることがなく、すなわち、被運搬者を敷布１０で圧迫するようなことがなく、患者の両側部を運搬用の棒３０で適度にホールドすることができ、運搬時の安定性を高めることができる。
【００５３】
また、敷布１０の挿通孔１１ａ、１１ｂが形成された面とは反対側の面（裏面）に、敷布１０の長手方向に対して略垂直に所定間隔を設けて複数の帯状部材２０ａ〜２０ｄが縫着され、これら複数の帯状部材２０ａ〜２０ｄの両端部に把持部２１が形成されているので、運搬用の棒３０が用意できない場合等においては、各帯状部材２０ａ〜２０ｄの把持部２１を持って、敷布１０の上に患者を載せたまま運搬することができる。この場合、従来のように敷布（に設けた把持用孔）を直接握って持ち上げる必要がないため、体重が重い人を運ぶ場合でも、また急に持ち上げた場合でも、敷布１０に直接大きな力が加わることがなく、長期の繰り返し使用にも十分に耐え得る耐久性を持たせることができ、しかも安価に作製することができる。また、帯状部材２０ａ〜２０ｄによって、敷布１０に載せた人が支持される構成となっているので、被運搬者を敷布１０ごと持ち上げる際の力が加え易く、また、敷布１０上の被運搬者の姿勢をバランス良く安定した状態に保つことができ、介護者等の運搬者の作業負担を軽減させることができる。また、挿通孔１１ａ、１１ｂが、敷布１０を筒状に折り重ねて一端側を縫着して形成されているので、通常の敷布１０として、違和感なく使用することができる。
【００５４】
なお、上記実施の形態（１）に係る介護用敷布１では、敷布１０の表面側に挿通孔１１ａ、１１ｂが１対形成されている場合について説明したが、挿通孔１１ａ、１１ｂを設けない構成（すなわち、敷布１０の裏面に帯状部材２０ａ〜２０ｄのみを設けた構成）としてもよい。また、挿通孔１１ａ、１１ｂの数は、２対以上あってもよい。
【００５５】
図６は、別の実施の形態に係る介護用敷布を模式的に示した図であり、（ａ）は平面図、（ｂ）は（ａ）におけるＢ−Ｂ線断面図である。図６に示した介護用敷布では、敷布表面側の長手方向両縁部を除く略全面に挿通孔１１ｃ〜１１ｌが形成されており、被運搬者の体型や体格に適した幅となる位置に運搬用の棒３０を適宜挿入することができ、また、敷布１０ａのクッション性も高めることができる。
【００５６】
また、上記実施の形態（１）に係る介護用敷布１では、敷布１０の裏面に４本の帯状部材２０ａ〜２０ｄが、敷布１０の長手方向に対して略垂直に所定間隔を設けて縫着されている場合について説明したが、帯状部材２０ａ〜２０ｄの本数は、少なくとも２本以上あればよい。また、帯状部材２０ａ〜２０ｄの縫着部２２の配置形態は、並列に配置するだけでなく、例えば、図７に示したように、縫着部２２Ａが交差して配置された構成としても良く、かかる構成によれば、挿通孔１１ａ、１１ｂに運搬用の棒３０（図２参照）を挿して敷布１０ごと担架として使用した場合であっても、また帯状部材２０Ａの各把持部２１を握って、敷布１０ごと被運搬者を持ち上げて移動する場合であっても、敷布１０に載せられた被運搬者の体重が、交差して配置された縫着部２２Ａによって分散されて、腰部等の局部的な沈みを抑えることができ、移動時の被運搬者の姿勢をバランス良く保つことができる。
【００５７】
また、さらに別の形態では、図８に示したように、敷布１０の裏面に、敷布１０の長手方向に対して所定幅（人体の横幅が考慮された幅）に形成されて縫着された略矩形形状をした縫着部材２２Ｂと、縫着部材２２Ｂの長手方向両側に所定間隔を設けて形成された把持部２１Ａとを備えた構成とすることもでき、かかる構成によれば、人体を支持する面が広く、敷布１０ごと被運搬者を持ち上げて移動する場合であっても、敷布１０に載せられた被運搬者の腰部分等の局部的な沈みを抑えることができ、移動時の被運搬者の姿勢をよりバランス良く保つことができ、また、敷布１０の強度を高めることができる。
【００５８】
図９は、実施の形態（２）に係る介護用敷布を模式的に示した図であり、（ａ）は平面図、（ｂ）は底面図である。但し、図１に示した介護用敷布１と同一機能を有する構成部品には同一符号を付し、その説明を省略する。
【００５９】
実施の形態（１）に係る介護用敷布１では、敷布１０の表面に、敷布１０の短手方向に対して略垂直に所定間隔を設けて形成された一対の棒３０を通すための挿通孔１１ａ、１１ｂが装備されていたが、実施の形態（２）に係る介護用敷布１Ａでは、図９に示したように、運搬用の棒を通すための挿通孔を設ける代わりに、敷布１０ｂの短手方向に対して略垂直に所定間隔（人体の横幅程度の間隔）を設けて一対の帯状部材４０ａ、４０ｂが縫着され、これら一対の帯状部材４０ａ、４０ｂの両端部が延設されて肩掛部４１が形成されている点が相違している。また、敷布１０ｂの裏面に、敷布１０ｂの長手方向に対して略垂直に所定間隔を設けて２本の紐状の締着部材４３が縫着されている。
【００６０】
なお、各帯状部材４０ａ、４０ｂは、被運搬者の重さを支えることができる強度を備えたものであればよく、天然繊維や合成繊維で縫製された部材（例えば、アクリルテープ等のベルト部材）で構成されている。また、各帯状部材４０ａ、４０ｂの両端部を折り重ねて形成された肩掛部４１の長さは、任意に設定することができるが、運搬時の使い勝手等を考慮して、運搬者が両肩に掛けて担いだ際に、敷布１０ｂが運搬者の腰の位置程度にくる長さが好ましい。
【００６１】
このように構成された介護用敷布１Ａは、平常時には、マットレスや敷布団の上に敷いて通常の敷布と同様に利用することができるようになっている。そして、自力で寝起きすることができない患者や被介護者を移動させる場合、例えば、病院や自宅等で患者をベッドから他の場所に移動させる場合には、図１０に示したように、患者Ｍを敷布１０ｂの上に載せたまま、２人の運搬者Ｋが、帯状部材４０ａ、４０ｂの肩掛部４１を両肩に掛けて持ち上げて、そのまま敷布１０ｂごと患者Ｍを担いで移動することができるようになっている。
【００６２】
なお、これら帯状部材４０ａ、４０ｂの間隔が、人体の平均的な幅を考慮して設定されているので、肩掛部４１を両肩に掛けて担いだ際に、帯状部材４０ａ、４０ｂの敷布１０ｂとの縫着部４２によって、患者Ｍの両側部を適度にホールドすることができ、また、締着部材４３により患者Ｍを敷布１０ｂに縛って固定しておくことができ、移動中の位置ずれを防ぐことができ、運搬時の安定性を高めることが可能となっている。また、肩掛部４１は、患者Ｍを移動させる場合の他、自力で寝起きができない患者を寝床から起こす場合に利用してもよい。
【００６３】
上記実施の形態（２）に係る介護用敷布１Ａによれば、敷布１０ｂの裏面に、敷布１０ｂの短手方向に対して略垂直に所定間隔を設けて一対の帯状部材４０ａ、４０ｂが縫着され、これら一対の帯状部材４０ａ、４０ｂの両端部が延設されて、両肩に掛ける肩掛部４１が形成されているので、２人の介護者が、帯状部材４０ａ、４０ｂの肩掛部４１を両肩に掛けて担ぐことにより、敷布１０ｂの上に患者を載せたまま容易に運搬することができ、上記実施の形態（１）に係る介護用敷布１と略同様な効果を得ることができる。
【００６４】
また、敷布１０ｂの裏面（表面に設けても良い）に、敷布１０ｂ上に載せた人を固定するための締着部材４３が縫着されているので、締着部材４３で被運搬者の胴体部分等を縛っておくことにより、移動時における被運搬者の敷布１０ｂからの落下や位置ずれを防止することができる。
【００６５】
なお、実施の形態（２）に係る介護用敷布１Ａでは、実施の形態（１）に係る介護用敷布１における挿通孔１１ａ、１１ｂが設けられていないものとして説明したが、介護用敷布１Ａに挿通孔１１ａ、１１ｂに相当する挿通孔が設けられた構成としてもよい。
【００６６】
図１１は、実施の形態（３）に係る介護用敷布を模式的に示した図であり、（ａ）は平面図、（ｂ）は底面図である。但し、図９に示した介護用敷布１Ａと同一機能を有する構成部品には同一符号を付し、その説明を省略する。
【００６７】
実施の形態（２）に係る介護用敷布１Ａでは、帯状部材４０ａ、４０ｂの両端部に延設されて形成された肩掛部４１が、運搬者の両肩に掛けるように構成されているが、実施の形態（３）に係る介護用敷布１Ｂでは、図１１に示したように、帯状部材４０ｃ、４０ｄの両端部に延設されて形成された肩掛部４１Ａが、たすき掛け用、すなわち、一対の帯状部材４０ｃ、４０ｄの隣り合う両端部同士が係合式の着脱部材４４を介して連結可能に形成されている点が相違している。また、敷布１０ｃの裏面に、敷布１０ｂの長手方向に対して略垂直に所定間隔を設けて２本の帯状の締着部材４３Ａ（一端側にバックルを備えたベルト部材）が縫着されているとともに、敷布１０ｂの長手方向に対して略垂直に、両端部に把持部２１が形成された１本の帯状部材２０ｅも縫着されている。なお、帯状部材２０ｅを設けない構成としてもよい。
【００６８】
また、敷布１０ｃの裏面の少なくとも４箇所、本実施の形態では、帯状部材４０ｃ、４０ｄ上に、一端側に把持部４６ａ、４６ｂが形成された帯状部材４７ａ、４７ｂがそれぞれ縫着されている。脚部側の帯状部材４７ｂは、頭部側の帯状部材４７ａよりも長めに設定されており、把持部４６ｂに手首を通し、帯部分を手首に巻き付けた状態で敷布１０ｃを持ち上げることができるようになっている。なお帯状部材４７ａ、４７ｂを帯状部材４０ｃ、４０ｄ上ではなく、敷布１０ｃ上に縫着した構成としてもよい。
【００６９】
また、各帯状部材４０ｃ、４０ｄ、締着部材４３Ａ、帯状部材４７ａ、４７ｂは、それぞれ被運搬者の重さを支えることができる強度を備えたものであればよく、天然繊維や合成繊維で縫製された部材（例えば、アクリルテープ等のベルト部材）で構成されている。また、各帯状部材４０ｃ、４０ｄの両端部が連結されて形成された、たすき掛け式の肩掛部４１Ａの長さは、任意に設定することができるが、運搬時の使い勝手等を考慮して、運搬者がたすき掛けして担いだ際に、敷布１０ｃが運搬者の腰の位置程度にくる長さが好ましい。
【００７０】
このように構成された介護用敷布１Ｂは、平常時には、マットレスや敷布団の上に敷いて通常の敷布と同様に利用することができるようになっている。そして、自力で寝起きすることができない患者や被介護者を移動させる場合、例えば、病院や自宅等で患者をベッドから他の場所に移動させる場合には、患者を敷布１０ｃの上に載せたまま、２人の運搬者が、帯状部材４０ａ、４０ｂの肩掛部４１Ａをたすき掛けして、帯状部材４７ａ、４７ｂの各把持部４６ａ、４６ｂを握って持ち上げて、そのまま敷布１０ｃごと患者を担いで移動することができるようになっている。
【００７１】
なお、これら帯状部材４０ｃ、４０ｄの間隔が、人体の平均的な幅を考慮して設定されているので、肩掛部４１Ａをたすき掛けして担いだ際に、帯状部材４０ｃ、４０ｄの敷布１０ｃとの縫着部４２によって、患者の両側部を適度にホールドすることができ、また、締着部材４３Ａにより患者を敷布１０ｃに縛って固定しておくことができ、移動中の位置ずれを防ぐことができ、運搬時の安定性を高めることが可能となっている。また、頭部側に配設された帯状部材４７ａの各把持部４６ａは、自力で寝起きができない患者を寝床から起こす場合にも利用できる。
【００７２】
上記実施の形態（３）に係る介護用敷布１Ｂによれば、敷布１０ｃの裏面に、敷布１０ｃの短手方向に対して略垂直に所定間隔を設けて一対の帯状部材４０ｃ、４０ｄが縫着され、これら一対の帯状部材４０ｃ、４０ｄの両端部が延設されて、たすき掛け式の肩掛部４１Ａが形成されているので、２人の介護者が、帯状部材４０ｃ、４０ｄの肩掛部４１Ａをたすき掛けして担ぐことにより、敷布１０ｃの上に患者を載せたまま容易に運搬することができ、上記実施の形態（１）に係る介護用敷布１と略同様な効果を得ることができる。
【００７３】
なお、上記実施の形態（３）では、敷布１０ｃの一方の面に、敷布１０ｃの短手方向に対して略垂直に所定間隔を設けて一対の帯状部材４０ｃ、４０ｄが縫着され、これら一対の帯状部材４０ｃ、４０ｄの両端部が延設されて肩掛部４１Ａが形成されているが、別の実施の形態では、図１２に底面図として示したように、敷布１０ｃの裏面に、敷布１０ｃの長手方向に対して所定幅（人体の横幅が考慮された幅）に形成されて縫着された略矩形形状をした縫着部材２２Ｃと、縫着部材２２Ｃの短手方向両側から一対の帯状部材が延設された、たすき掛け式の肩掛部４１Ｂとを備えた構成とすることもでき、かかる構成によれば、人体を支持する面が広く、敷布１０ｃごと被運搬者を持ち上げて移動する場合であっても、敷布１０ｃに載せられた被運搬者の腰部分等の局部的な沈みを抑えることができ、移動時の被運搬者の姿勢をよりバランス良く保つことができ、また、敷布１０ｃの強度を高めることができる。
【００７４】
なお、上記実施の形態（１）〜（３）に係る介護用敷布では、敷布１０（１０ｂ、１０ｃ）の裏面に、帯状部材２０ａ〜２０ｅ、４０ａ〜４０ｄの縫着部分等がむき出しとなっているが、見栄え等を良くするために、敷布１０（１０ｂ、１０ｃ）の裏面に、帯状部材２０ａ〜２０ｅ、４０ａ〜４０ｄの縫着部分等を隠すための裏地を張り合せた構成としてもよい。
【００７５】
また、上記実施の形態（１）〜（３）に係る介護用敷布では、寝具の上に敷布１０（１０ｂ、１０ｃ）を敷いて、その上に患者や被介護者が寝る場合を想定して説明を行ったが、その場合、患者や被介護者が敷布１０（１０ｂ、１０ｃ）上に直に寝ることとなるため、敷布１０ａ〜１０ｃを洗濯等のために度々取り替えなければならない。
【００７６】
そこで別の実施の形態では、図１３に側面分解図として模式的に示したように、敷布１０（１０ｂ、１０ｃ）の上に、さらに取替用敷布５０を敷いて利用する介護用敷布セットとして構成することにより、取替用敷布５０のみを頻繁に取り替えることが可能となる。その際、敷布１０（１０ｂ、１０ｃ）の表面の複数箇所と、これらと対向する取替用敷布５０の裏面の所定箇所とに面ファスナー等の係止部材５１を設けて着脱可能な構成にすれば、取替用敷布５０の位置ずれなどを防止することができる。また、この場合、敷布１０（１０ｂ、１０ｃ）の短手方向の幅を、上に被せる取替用敷布５０の幅よりも短くしてもよく、また、敷布１０（１０ｂ、１０ｃ）の布地に、より強度の高い繊維（ポリエステル、ナイロン等）を用いた厚手の生地を用いることもできる。
【００７７】
また、さらに別の実施の形態では、図１４に側面分解図として模式的に示したように、敷布１０（１０ｂ、１０ｃ）と取替用敷布５０との間に板状部材６０が配設され、敷布１０（１０ｂ、１０ｃ）の裏面側に裏地６１が縫着され、さらに裏地６１の裏面側にエアマット部材６２が着脱自在に装着された、介護用敷布セットとして構成することもできる。
【００７８】
板状部材６０の形状は、その横幅が、敷布１０に形成された挿通孔１１ａ、１１ｂの間隔、又は敷布１０ｂ（１０ｃ）に縫着された帯状部材４０ａ、４０ｂ（４０ｃ、４０ｄ）の間隔と略同じかやや小さめに設定され、縦幅が、敷布１０（１０ｂ、１０ｃ）の縦幅よりも小さめに設定された略矩形形状を有している。
【００７９】
板状部材６０の構成材料としては、例えば、グラスファイバー部材や段ボール部材等を数ｍｍ〜２ｃｍ程度の厚さに加工したものや、さらにこれらの表面にウレタン部材等を張り合せてクッション性を持たせたマットなどが採用され得るが、敷布１０（１０ｂ、１０ｃ）を持ち上げた際に被運搬者の腰部分等の沈みを抑えることが可能な反りの少ない部材であればよい。なお、板状部材６０は、必要に応じて敷布１０（１０ｂ、１０ｃ）と取替用敷布５０との間に挿入できるようになっており、敷布１０（１０ｂ、１０ｃ）と取替用敷布５０とを止め合わせる係止部材５１により、板状部材６０の位置が固定されるようになっている。
【００８０】
かかる介護用敷布セットによれば、敷布１０（１０ｂ、１０ｃ）と取替用敷布５０との間に板状部材６０を挟んだ状態で使用することにより、敷布１０（１０ｂ、１０ｃ）ごと被運搬者を持ち上げて移動する場合に、取替用敷布５０の上に載せられた被運搬者の腰部分等の局部的な沈みを抑える効果をさらに高めることができ、移動時の被運搬者の姿勢を一層バランス良く保つことができる。
【００８１】
また、裏地６１の裏面側に着脱自在に装着されたエアマット部材６２は、図１５（ａ）に斜視図として模式的に示したように、取替用敷布５０と略同サイズに形成されたものであり、人体の上半身部分に相当する第１のエア注入袋６２ａと、腰部分に相当する第２のエア注入袋６２ｂと、脚部分に相当する第３のエア注入袋６２ｃとが連結部６２ｄで連結された１枚のエアマットシートから構成されており、図１５（ｂ）には、エアマット部材６２の各エア注入袋６２ａ〜６２ｃに空気を注入した状態の側面図を模式的に示している。
【００８２】
エアマット部材６２が装着された介護用敷布セットによれば、全てのエア注入袋６２ａ〜６２ｃの空気を抜いておけば、通常の敷布と同様に利用することができる。そして、自力で起き上がることができない患者を起き上がらせる場合は、患者の上半身部に相当する位置に配置された第１のエア注入袋６２ａにポンプ等を用いて空気を注入して膨らませることにより、患者の上半身がエア注入袋６２ａにより持ち上げられるので、患者を起こす際の介護者の負担を軽減させることができる。
【００８３】
また、患者の下着等を取り替える場合には、患者の腰部に相当する位置に配置されたエア注入袋６２ｂと、脚部に相当する位置に配置されたエア注入袋６２ｃとに空気を注入して膨らませることにより、患者の腰部と脚部とをエア注入袋６２ｂ、６２ｃにより持ち上げた状態にすることができ、介護者による下着等の取り替え作業をスムーズに行うことができ、介護者の作業負担を軽減させることができる。また、患者の脚のむくみを防止するためにエア注入袋６２ｃに空気を入れた状態で使用することもできる。
【００８４】
なお、エアマット部材６２は、敷布１０（１０ｂ、１０ｃ）の裏面側に、面ファスナー等の止め具（図示せず）により取付けられているので、エアマット部材６２が不要の場合は取り外した状態で使用することができる。また、エアマット部材として、連結部６２ｄで連結されていない複数個のエア注入袋で構成することもできる。
【００８５】
図１６は、実施の形態（４）に係る介護用敷布を模式的に示した図であり、（ａ）は平面図、（ｂ）は底面図である。但し、図１１に示した介護用敷布１Ｂと同一機能を有する構成部品には同一符号を付し、その説明を省略する。
【００８６】
上記した実施の形態（３）に係る介護用敷布１Ｂでは、被運搬者を寝かせた状態で運ぶことができるように敷布１０ｃのサイズが設定されている（すなわち、敷布団やマットレスと略同サイズに設定されている）のに対し、実施の形態（４）に係る介護用敷布１Ｃでは、敷布１０ｄの大きさが、被運搬者を椅子に座らせた状態に近い姿勢で運ぶのに適したサイズに設定されている点が大きく相違している。
【００８７】
介護用敷布１Ｃを構成する敷布１０ｄは、長さｌ＝７０〜１００ｃｍ、幅ｍ＝６０〜９０ｃｍ程度の略矩形形状に形成されており、敷布１０ｄを構成する布地には、強度の高いデニム生地等が採用され得る。
【００８８】
また、敷布１０ｄ底面の一対の向かい合う辺（長さｌの辺）の両縁部には、敷布１０ｄの長さｌの２〜３倍程度の長さを有する一対の帯状部材４０ｅ、４０ｆが縫着されている。帯状部材４０ｅ、４０ｆの両端部は、係合式の着脱部材４４を介して連結可能に構成されており、帯状部材４０ｅ、４０ｆの両端部が連結された状態で肩掛部４１Ｃが形成されている。また、肩掛部４１Ｃを構成する帯状部材４０ｅ、４０ｆには、これら帯状部材４０ｅ、４０ｆを運搬者が肩に掛けたときの食い込み等を軽減するために、クッション性を有する肩当４９が必要に応じて装着可能となっている。
【００８９】
また、敷布１０ｄ底面の幅ｍの辺の両縁部には、幅ｍの補強用の帯状部材４９ａが縫着され、さらに敷布１０ｄの対角線上にも補強用の帯状部材４９ｂが縫着されている。なお、補強用の帯状部材４９ａ、４９ｂは、敷布１０ｄの材質や強度等を考慮して、必要に応じて設けるようにすれば良い。
【００９０】
また、敷布１０ｄ底面の幅ｍの一辺には、両端部に輪状の把持部４６ｃを有する帯状部材４７ｃが縫着されている。これら一対の帯状部材４０ｅ、４０ｆ、補強用の帯状部材４９ａ、４９ｂ及び把持部４６ｃを有する帯状部材４７ｃは、例えば、アクリルテープ等の幅広（例えば、幅３〜６ｃｍ程度）のベルト部材等で構成するのが好ましい。
【００９１】
また、一対の帯状部材４０ｅ、４０ｆの両端部を着脱部材４４を介して連結させて構成された肩掛部４１Ｃの長さは、着脱部材４４の長さ調整機能により調整することが可能になっており、運搬時の使い勝手等を考慮して、運搬者がたすき掛けして担いだ際に、敷布１０ｄに設けられた帯状部材４７ｃの把持部４６ｃを片手で把持できる長さに設定することが好ましい。
【００９２】
また、敷布１０ｄ表面の４隅近傍位置には、面ファスナーのフックテープ５１ａが装着されており、敷布１０ｄ上に敷かれる取替用敷布（図示せず）の裏面に装着された面ファスナーのループテープと係合させることができるようになっている。
【００９３】
このように構成された介護用敷布１Ｃは、平常時には、敷布団やマットレスの上に、取替用敷布と共に敷いて、通常の敷布と同様に利用することができるようになっている。なお、運搬時のことを考慮して、敷布団やマットレスの略中央付近に介護用敷布１Ｃを配置しておくのが好ましい。
【００９４】
そして、図１７（ａ）に示したように、自力で寝起きすることが難しい患者等の被運搬者Ｍを、敷布団やマットレスＳの上から他の場所に移動させる場合には、まず、被運搬者Ｍの腰部分を介護用敷布１Ｃの敷布１０ｄの略中央付近に載せた状態にして、敷布１０ｄの両側に立った２人の運搬者Ｋが、帯状部材４０ｅ、４０ｆで形成された肩掛部４１Ｃをそれぞれ肩に掛けて、敷布１０ｄとともに被運搬者Ｍの背中を起こして、被運搬者Ｍの太腿の裏部分に位置する帯状部材４７ｃの把持部４６ｃを片手で握って被運搬者Ｍの脚部を支持した状態のまま持ち上げると、図１７（ｂ）に示したように敷布１０ｄで被運搬者Ｍの背中から太腿の裏側までを、略くの字形状に保持して、椅子に座らせた姿勢に近い状態のまま、車椅子等に乗せたり、目的の場所まで運搬することができるようになっている。      
【００９５】
車椅子等に乗せる場合、敷布１０ｄをそのまま車椅子等の座面に敷くような形で利用することができ、再度、車椅子からベッドへ戻すときも、車椅子に座った姿勢の状態のまま持ち上げて、ベッドへ運ぶことができる。また、介護用敷布１Ｃの上に敷かれる取替用敷布（図示せず）は、介護用敷布１Ｃの上に折りたたむ、又は運搬前に取り外すようにすればよい。
【００９６】
上記実施の形態（４）に係る介護用敷布１Ｃによれば、略矩形形状をした敷布１０ｄと、敷布１０ｄの一方の面における一対の向かい合う辺の両縁部に縫着された一対の帯状部材４０ｅ、４０ｆとを備え、これら帯状部材４０ｅ、４０ｆの両端部が着脱部材４４を介して連結されて肩掛部４１Ｃが形成されるように構成されているので、二人の運搬者Ｋが肩掛部４１Ｃをそれぞれ肩に掛けて担ぐことにより、敷布１０ｄの上に被運搬者Ｍを載せた状態で運搬することができる。この場合、従来のように敷布に設けた把持用孔を直接握って持ち上げる必要がないため、体重が重い人を運ぶ場合でも、また急に持ち上げた場合でも、敷布１０ｄに直接大きな力が加わることがなく、長期の繰り返し使用にも十分に耐え得る強度と耐久性を持たせることができ、しかも安価に作製することができる。
【００９７】
特に、敷布４０ｄのサイズを、帯状部材４０ｅ、４０ｆが縫着された辺の長さ（縦幅）を人体の太腿の裏側から肩甲骨ぐらいまでの長さ（７０〜１００ｃｍ前後）に設定し、他の辺の長さ（横幅）を人体の横幅を考慮した長さ（６０〜９０ｃｍ前後）に設定することにより、被運搬者Ｍを適切な位置に着座させて、敷布１０ｄの両側から肩掛部４１Ｃを肩に掛けて担ぐことにより、被運搬者Ｍを椅子に腰掛けた姿勢に近い状態で運搬することができ、ベッドから車椅子、車椅子からベッドへの乗せ替え等を楽に行うことが可能となり、介護に必要な労力を軽減させることができる。
【００９８】
なお、上記実施の形態（４）に係る介護用敷布１Ｃでは、敷布１０ｄの長さｌの２〜３倍程度の長さを有する一対の帯状部材４０ｅ、４０ｆの両端部が連結されて肩掛部４１Ｃが形成されるように構成されているが、別の実施の形態では、図１８に示したように、肩掛部を敷布から取り外すことができるように、敷布１０ｅとの着脱が可能な肩掛部材４１Ｄを設ける構成としてもよい。すなわち、敷布１０ｅに縫着された一対の帯状部材４０ｇ、４０ｈの長さは、敷布１０ｅの幅よりも若干長めに設定し、その両端部に係合式の着脱部材４４の一方を設け、これら帯状部材４０ｇ、４０ｈの両端部に着脱部材４４を介して連結可能に構成された肩掛部材４１Ｄを設ける。
【００９９】
係る構成によれば、上記した介護用敷布１Ｃと略同様な効果を得ることができるとともに、さらに肩掛部材４１Ｄが、帯状部材４０ｇ、４０ｈの両端部に着脱部材４４を介して連結されるように構成されているので、敷布団等の上に敷いている時や車椅子等に乗せて利用している時は肩掛部材４１Ｄを敷布１０ｅから外して利用することができ、敷布団等の周囲をスッキリさせることができ、また車椅子での移動時に邪魔にならないようにすることができる。また、肩掛部材４１Ｄを外した状態で、敷布１０ｅのみ洗濯を行うことができ、使い勝手を良くすることができる。
【図面の簡単な説明】
【０１００】
【図１】本考案の実施の形態（１）に係る介護用敷布を模式的に示した図であり、（ａ）は平面図、（ｂ）は底面図、（ｃ）は（ａ）におけるＣ−Ｃ線断面図である。
【図２】実施の形態（１）に係る介護用敷布の利用形態を説明するための図である。
【図３】実施の形態（１）に係る介護用敷布の別の利用形態を説明するための図である。
【図４】（ａ）、（ｂ）は、実施の形態（１）に係る介護用敷布の別の利用形態を説明するための図である。
【図５】実施の形態（１）に係る介護用敷布のさらに別の利用形態を説明するための図である。
【図６】別の実施の形態に係る介護用敷布を模式的に示した図であり、（ａ）は平面図、（ｂ）は（ａ）におけるＢ−Ｂ線断面図である。
【図７】別の実施の形態に係る介護用敷布の底面図を模式的に示した図である。
【図８】さらに別の実施の形態に係る介護用敷布の底面図を模式的に示した図である。
【図９】実施の形態（２）に係る介護用敷布を模式的に示した図であり、（ａ）は平面図、（ｂ）は底面図である。
【図１０】実施の形態（２）に係る介護用敷布の利用形態を説明するための図である。
【図１１】実施の形態（３）に係る介護用敷布を模式的に示した図であり、（ａ）は平面図、（ｂ）は底面図である。
【図１２】別の実施の形態に係る介護用敷布の底面図を模式的に示した図である。
【図１３】実施の形態に係る介護用敷布と取替用敷布とを備えた介護用敷布セットを模式的に示した側面分解図である。
【図１４】別の実施の形態に係る介護用敷布セットを模式的に示した側面分解図である。
【図１５】別の実施の形態に係る介護用敷布セットに含まれるエアマット部材を模式的に示した図であり、（ａ）は斜視図、（ｂ）は、エア注入後の側面図である。
【図１６】実施の形態（４）に係る介護用敷布を模式的に示した図であり、（ａ）は平面図、（ｂ）は底面図である。
【図１７】実施の形態（４）に係る介護用敷布の利用形態を説明するための図である。
【図１８】別の実施の形態に係る介護用敷布の平面図を模式的に示した図である。
【図１９】（ａ）、（ｂ）は、従来の介護用敷布を模式的に示した図である。
【符号の説明】
【０１０１】
１、１Ａ、１Ｂ  １Ｃ  介護用敷布
１０、１０ａ、１０ｂ、１０ｃ、１０ｄ、１０ｅ  敷布
１１ａ〜１１ｌ  挿通孔                                                          ２０ａ〜２０ｄ、２０Ａ  帯状部材
２１、２１Ａ  把持部
２２、２２Ａ  縫着部
３０  棒
【図１】
0003121217.tif 000003
【図２】
0003121217.tif 000004
【図３】
0003121217.tif 000005
【図４】
0003121217.tif 000006
【図５】
0003121217.tif 000007
【図６】
0003121217.tif 000008
【図７】
0003121217.tif 000009
【図８】
0003121217.tif 000010
【図９】
0003121217.tif 000011
【図１０】
0003121217.tif 000012
【図１１】
0003121217.tif 000013
【図１２】
0003121217.tif 000014
【図１３】
0003121217.tif 000015
【図１４】
0003121217.tif 000016
【図１５】
0003121217.tif 000017
【図１６】
0003121217.tif 000018
【図１７】
0003121217.tif 000019
【図１８】
0003121217.tif 000020
【図１９】
0003121217.tif 000021